(57)【特許請求の範囲】
【請求項１】
住宅内の雑排水を合流させて屋外に排水する雑排水管を、排気管としても兼用すべく所定の大きさに形成し、該雑排水管の最終合流点の後段に、該雑排水管と連通状態に上方に延びる鉛直配管を設けると共に、該鉛直配管に排気装置を配設し、且つ、該雑排水管の支管先端に雑排水器具を配置し、該排気装置を２４時間駆動することによって、該雑排水器具が配置される住宅内の各部屋の空気を減圧すると共に、該雑排水器具が配置される住宅内の各部屋の空気、及び、該雑排水管内の臭気を、該雑排水器具、該雑排水管及び該鉛直配管を介して屋外に排出することにより、住宅内の換気、及び、該雑排水管内の臭気排気を併せて行なうように構成したことを特徴とする住宅用換気システム。
【請求項２】
上記排気装置は、圧力調整手段によって排気圧を調整されるように構成されていることを特徴とする請求項１記載の住宅用換気システム。
【請求項３】
請求項１又は２記載の住宅用換気システムであって、更に、住宅内の各部屋内の空気を排出するため、一端が各部屋に連通する吸気孔を備えた排気管を設け、該排気管の他端部を上記雑排水管に連通させて接続し、各部屋内の空気を該排気管及び該雑排水管を介して排出させるように構成したことを特徴とする住宅用換気システム。
【請求項４】
請求項３記載の住宅用換気システムであって、更に、住宅内に給気を行なうための給気管を配設し、且つ、上流の該給気管と、上記鉛直配管との間に熱交換器を設け、該鉛直配管内を流れる排気と、該給気管内を流れる給気との間で熱交換を行なわせるように構成したことを特徴とする住宅用換気システム。
【請求項５】
請求項４記載の住宅用換気システムであって、更に、上記雑排水管の下流に雑排水処理槽を配設し、且つ、上記熱交換器から住宅内に配管される上記給気管を、住宅内に配管する前に該雑排水処理槽内に浸漬させて配管し、該給気管内の給気が該雑排水処理槽内の雑排水による熱によって加温されて住宅内に供給されるように構成したことを特徴とする住宅用換気システム。
【請求項６】
上記雑排水管に合流する１つの支管の先端部がペット用トイレに連結され、ペット用トイレで発生する臭気を吸引して排気するように構成されていることを特徴とする請求項１，２，３，４又は５記載の住宅用換気システム。
【請求項７】
上記雑排水管に合流する１つの支管の先端部が生ごみ処理機に連結され、生ごみ処理機
で発生する臭気を吸引して排気するように構成されていることを特徴とする請求項１，２，３，４，５又は６記載の住宅用換気システム。
【請求項８】
住宅内の各部屋に連通する排気管が設けられると共に、該排気管の下流部に排気装置が設置され、一方、住宅内の雑排水を合流させて屋外に排水する雑排水管が設けられ、該雑排水管の最終合流点の下流に、該雑排水管と連通状態に上方に延びる鉛直配管が設けられた住宅に於いて、前記鉛直配管の上端部と、前記排気装置上流の前記排気管とを連通させるダクトを設けたことを特徴とする住宅用換気システム。
【発明の詳細な説明】
【技術分野】
【０００１】
本発明は、雑排水管内の臭気排気、及び、住宅内の換気を併せて行なうように構成した住宅用換気システムに関する。
【背景技術】
【０００２】
住宅等に設置される雑排水管に接続される器具（台所、洗面台、洗濯機等）はどのように緊結されていても、器具がビニール製の蛇腹管等を具備している場合、時間が経つとその接合部にすき間を生じてそこから雑排水管の内部の汚れによる臭気や、水蒸気等が漏れ出てくる事があった。
【０００３】
又、従来、雑排水管は屋外の公共下水道と接続する前にトラップが設けられ、雑排水管に接続される器具にも、雑排水管の経時的な汚れによる臭気対策上トラップが設けられていた。
【０００４】
その場合に、雑排水管に接続される器具の接続部を緊結すればする程、ダブルトラップとなり排水が悪くなったり低位にある封水が破れる等の問題が起こり、通気管等を設けなければならなかった。
【０００５】
通気管を施工する場合は、その施工費用がかかり、尚且つ、外気に解放した通気管の先端が風の高圧帯に入ったり、或いは、台所でレンジフードファン等を使用して室内が負圧になった時など、臭気の室内への流入の虞があり、特に、雑排水管に接続される器具の緊結部にゆるみがあると臭気の室内への流入量は更に増大する虞があった。
【０００６】
又、雑排水管に接続される各器具に設けられたトラップは、例えば、台所では厨芥や油が詰まりやすく、風呂、洗面台、洗濯機は繊維や髪の毛等が詰まりやすく、又、封水が細管現象などにより破られるなどの問題を発生させていた。更に、高気密住宅では、トラップに常に水が貯まっている事が原因となる臭気の発生も問題化している。
【０００７】
近年、実施された建築基準法による住宅の換気は、実際の施工例として、排気を機械的に行い、給気を自然給気とする第３種換気システムがコスト面から圧倒的に多く、この換気システムは屋内を負圧とする為、屋内のドアの開け閉めや、外気導入の経路によって給気経路が十分に確保されない場合、雑排水管の接合部からの臭気漏れを起こす事もあり、解決が急がれていた。
【０００８】
図８は、一般的な既存住宅に於ける空気の流れを示し、住宅１内の各部屋２，２…に適宜設置された排気扇３，３…が回転すると、排気扇３，３…が設置された各部屋２，２…内の空気は夫々屋外に排出され、それに伴い、各部屋２，２…が負圧になることによって各部屋２，２…に適宜設置された換気口４，４…、各部屋２，２…の開けられた窓５，５…、又は、扉（図示せず）等から、給気されるが、更に、各部屋２，２…の種々の隙間（図示せず）からも給気される。
【０００９】
然しながら、換気口４，４…、窓、扉、隙間等から十分給気されない場合、例えば、窓５，５…、扉等が閉め切られ、部屋２，２…が密閉状態に近い状態で排気扇３，３…を回転させると、部屋２，２…の中に設置された雑排水管６の支管７，７…に設けられる台所、洗面台、洗濯機等の雑排水器具８，８…との接続部（図示せず）、蛇腹部（図示せず）の隙間、又は、封水が破れたトラップ部（図示せず）等から、雑排水管６及び支管７，７…内の臭気が部屋２，２…内に侵入し、部屋２，２…内の空気を汚染してしまうことになる。
【００１０】
図９は、建築基準法に規定される第３種換気システム、即ち、排気を機械的に行い、且つ、自然給気を行なう換気システムが施工された住宅内の空気の流れを示し、住宅１内の各部屋２，２…に連通する排気管９に設置された排気装置である排気扇１０が回転すると、各部屋２，２…内の空気は夫々排気管９内に吸引され、排気扇１０によって屋外に排出され、それに伴い、各部屋２，２…が負圧になることによって各部屋２，２…に適宜設置された換気口４，４…、各部屋２，２…の開けられた窓５，５…、又は、扉から、給気されるが、更に、各部屋２，２…の種々の隙間等からも給気される。
【００１１】
然しながら、換気口４，４…、窓５，５…、扉、隙間等から十分給気されない場合、例えば、窓５，５…、扉が閉め切られ、部屋２，２…が密閉状態に近い状態で排気扇１０を回転させると、部屋２，２…の中に設置された雑排水管６の支管７，７…に設けられる雑排水器具８，８…との接続部、蛇腹部の隙間、又は、封水が破れたトラップ部等から、雑排水管６及び支管７，７…内の臭気が部屋２，２…内に侵入し、部屋２，２…内の空気を汚染してしまうことになる。
【００１２】
又、住宅の排気装置は、例えば、特許文献１及び２にも開示されており、特許文献１には、高気密住宅の夏期夜間の居室内の熱気を速やかに屋外に排出できる住宅の熱気抜き用強制排気装置が記載され、特許文献２には、給排気口の開閉とファンの風量調節とにより、給気または排気経路を切り替え、効果的な外気導入を可能とする換気システムが記載されている。
【特許文献１】特開平９−１０３１９２号公報
【特許文献２】特開２０００−１０４２５８号公報
【発明の開示】
【発明が解決しようとする課題】
【００１３】
前述したように、図８及び図９に示す住宅に於いて、住宅内の各部屋の換気口、窓、扉、隙間等から十分給気されない場合、例えば、窓、扉が閉め切られ、部屋が密閉状態に近い状態で排気扇を回転させると、部屋の中に設置された雑排水管の支管に設けられる雑排水器具との接続部、蛇腹部の隙間、又は、封水が破れたトラップ部等から、雑排水管及び支管内の臭気が部屋内に逆流し、部屋内の空気を汚染してしまうという問題が発生する。
又、特許文献１及び２に於いても、同様の問題が発生する。
【００１４】
以上の現状に鑑み、本発明は、雑排水管内の臭気排気、及び、住宅内の換気を併せて行なえると共に、雑排水管内の臭気の住宅内への進入を防止した住宅用換気システムを提供することを目的とする。
【課題を解決するための手段】
【００１５】
上記の課題を解決すべく、本発明は以下の構成を提供する。
請求項１に係る発明は、住宅内の雑排水を合流させて屋外に排水する雑排水管を、排気管としても兼用すべく所定の大きさに形成し、該雑排水管の最終合流点の後段に、該雑排水管と連通状態に上方に延びる鉛直配管を設けると共に、該鉛直配管に排気装置を配設し、且つ、該雑排水管の支管先端に雑排水器具を配置し、該排気装置を２４時間駆動することによって、該雑排水器具が配置される住宅内の各部屋の空気を減圧すると共に、該雑排水器具が配置される住宅内の各部屋の空気、及び、該雑排水管内の臭気を、該雑排水器具、該雑排水管及び該鉛直配管を介して屋外に排出することにより、住宅内の換気、及び、該雑排水管内の臭気排気を併せて行なうように構成したことを特徴とする住宅用換気システムを提供するものである。
【００１６】
請求項２に係る発明は、上記排気装置は、圧力調整手段によって排気圧を調整されるように構成されていることを特徴とする請求項１記載の住宅用換気システムを提供するものである。
【００１７】
請求項３に係る発明は、請求項１又は２記載の住宅用換気システムであって、更に、住宅内の各部屋内の空気を排出するため、一端が各部屋に連通する吸気孔を備えた排気管を設け、該排気管の他端部を上記雑排水管に連通させて接続し、各部屋内の空気を該排気管及び該雑排水管を介して排出させるように構成したことを特徴とする住宅用換気システムを提供するものである。
【００１８】
請求項４に係る発明は、請求項３記載の住宅用換気システムであって、更に、住宅内に給気を行なうための給気管を配設し、且つ、上流の該給気管と、上記鉛直配管との間に熱交換器を設け、該鉛直配管内を流れる排気と、該給気管内を流れる給気との間で熱交換を行なわせるように構成したことを特徴とする住宅用換気システムを提供するものである。
【００１９】
請求項５に係る発明は、請求項４記載の住宅用換気システムであって、更に、上記雑排水管の下流に雑排水処理槽を配設し、且つ、上記熱交換器から住宅内に配管される上記給気管を、住宅内に配管する前に該雑排水処理槽内に浸漬させて配管し、該給気管内の給気が該雑排水処理槽内の雑排水による熱によって加温されて住宅内に供給されるように構成したことを特徴とする住宅用換気システムを提供するものである。
【００２０】
請求項６に係る発明は、上記雑排水管に合流する１つの支管の先端部がペット用トイレに連結され、ペット用トイレで発生する臭気を吸引して排気するように構成されていることを特徴とする請求項１，２，３，４又は５記載の住宅用換気システムを提供するものである。
【００２１】
請求項７に係る発明は、上記雑排水管に合流する１つの支管の先端部が生ごみ処理機に連結され、生ごみ処理機で発生する臭気を吸引して排気するように構成されていることを特徴とする請求項１，２，３，４，５又は６記載の住宅用換気システムを提供するものである。
【００２２】
請求項８に係る発明は、住宅内の各部屋に連通する排気管が設けられると共に、該排気管の下流部に排気装置が設置され、一方、住宅内の雑排水を合流させて屋外に排水する雑排水管が設けられ、該雑排水管の最終合流点の下流に、該雑排水管と連通状態に上方に延びる鉛直配管が設けられた住宅に於いて、前記鉛直配管の上端部と、前記排気装置上流の前記排気管とを連通させるダクトを設けたことを特徴とする住宅用換気システムを提供するものである。
【発明の効果】
【００２３】
本発明の請求項１記載の発明によれば、住宅内の雑排水を合流させて屋外に排水する雑排水管を、排気管としても兼用すべく所定の大きさに形成し、該雑排水管の最終合流点の後段に、該雑排水管と連通状態に上方に延びる鉛直配管を設けると共に、該鉛直配管に排気装置を配設し、且つ、該雑排水管の支管先端に雑排水器具を配置し、該排気装置を２４時間駆動することによって、該雑排水器具が配置される住宅内の各部屋の空気を減圧すると共に、該雑排水器具が配置される住宅内の各部屋の空気、及び、該雑排水管内の臭気を、該雑排水器具、該雑排水管及び該鉛直配管を介して屋外に排出することにより、住宅内の換気、及び、該雑排水管内の臭気排気を併せて行なうように構成した住宅用換気システムを提供するので、雑排水管内の臭気排気、及び、住宅内の換気を併せて行なえると共に、雑排水管内の臭気の住宅内への進入を防止した住宅用換気システムを提供できる。
【００２４】
請求項２記載の発明によれば、上記排気装置は、圧力調整手段によって排気圧を調整されるように構成されているので、請求項１記載の発明の効果に加え、圧力調整手段によって排気圧を調整できる。
【００２５】
請求項３記載の発明によれば、請求項１又は２記載の住宅用換気システムであって、更に、住宅内の各部屋内の空気を排出するため、一端が各部屋に連通する吸気孔を備えた排気管を設け、該排気管の他端部を上記雑排水管に連通させて接続し、各部屋内の空気を該排気管及び該雑排水管を介して排出させるように構成した住宅用換気システムを提供するので、請求項１又は２記載の発明の効果に加え、住宅内の各部屋の空気を円滑に排気することができる。
【００２６】
請求項４記載の発明によれば、請求項３記載の住宅用換気システムであって、更に、住宅内に給気を行なうための給気管を配設し、且つ、上流の該給気管と、上記鉛直配管との間に熱交換器を設け、該鉛直配管内を流れる排気と、該給気管内を流れる給気との間で熱交換を行なわせるように構成した住宅用換気システムを提供するので、請求項１，２又は３記載の発明の効果に加え、排気熱を有効利用して給気を加温することができる。
【００２７】
請求項５記載の発明によれば、請求項４記載の住宅用換気システムであって、更に、上記雑排水管の下流に雑排水処理槽を配設し、且つ、上記熱交換器から住宅内に配管される上記給気管を、住宅内に配管する前に該雑排水処理槽内に浸漬させて配管し、該給気管内の給気が該雑排水処理槽内の雑排水による熱によって加温されて住宅内に供給されるように構成した住宅用換気システムを提供するので、請求項４記載の発明の効果に加え、雑排水の熱を有効利用して給気を加温することができる。
【００２８】
請求項６記載の発明によれば、上記雑排水管に合流する１つの支管の先端部がペット用トイレに連結され、ペット用トイレで発生する臭気を吸引して排気するように構成されているので、請求項１，２，３，４又は５記載の発明の効果に加え、ペット用トイレで発生する臭気を吸引して排気できる。
【００２９】
請求項７記載の発明によれば、上記雑排水管に合流する１つの支管の先端部が生ごみ処理機に連結され、生ごみ処理機で発生する臭気を吸引して排気するように構成されているので、請求項１，２，３，４，５又は６記載の発明の効果に加え、生ごみ処理機で発生する臭気を吸引して排気できる。
【００３０】
請求項８記載の発明によれば、住宅内の各部屋に連通する排気管が設けられると共に、該排気管の下流部に排気装置が設置され、一方、住宅内の雑排水を合流させて屋外に排水する雑排水管が設けられ、該雑排水管の最終合流点の下流に、該雑排水管と連通状態に上方に延びる鉛直配管が設けられた住宅に於いて、前記鉛直配管の上端部と、前記排気装置上流の前記排気管とを連通させるダクトを設けた住宅用換気システムを提供するので、前記ダクトによって、鉛直配管、雑排水管内の空気も排気管及び排気装置を介して屋外に排出することができると共に、雑排水管及び雑排水管に接続される支管内の臭気が部屋内に侵入し、部屋内の空気を汚染することを防止することが出来る。
又、前記住宅用換気システムは、既存の換気システムに、ダクトを取り付けるという簡素な構成であるので、施工工程を短縮し、且つ、施工コストを低減することが出来る。
【発明を実施するための最良の形態】
【００３１】
以下、実施例を示した図面を参照しつつ本発明の実施の形態を説明する。
図１に於いて、１１は主として既存住宅に適用する本発明の第１実施形態の住宅用換気システムを示し、住宅用換気システム１１は、住宅１２内の雑排水を合流させて屋外に排水する雑排水管１３を、排気管としても兼用すべく所定の大きさに形成し、雑排水管１３の最終合流点の後段に、雑排水管１３と連通状態に上方に延びる鉛直配管１４を設けると共に、鉛直配管１４にファンモータ等の排気装置１５を配設し、且つ、雑排水管１３の支管１６，１６…支管先端に雑排水器具１７，１７…を配置したものである。
【００３２】
又、排気装置１５は、排気装置１５近傍に設けた圧力調整手段である圧力調整用吸気弁１８によって排気圧を調整されるように構成されている。
【００３３】
而して、前記排気装置１５を駆動すると、雑排水管１３内の臭気、雑排水管１３の支管１６，１６…の臭気、支管１６，１６…の先端に接続される台所、洗面台、洗濯機、風呂等の雑排水器具１７，１７…の臭気、及び、雑排水器具１７，１７…が配置される住宅１２内の各部屋Ｒ，Ｒ…の空気が、雑排水器具１７，１７…、支管１６，１６…、雑排水管１３及び鉛直配管１４等を介して前記排気装置１５に吸引され、排出される。即ち、支管１６，１６…、雑排水管１３が排気管として利用される。尚、前記排気装置１５は２４時間駆動される。
又、前記圧力調整用吸気弁１８を調整することにより、前記排気装置１５による排出圧力を調整することができる。
【００３４】
一方、排気装置１５の駆動による排気によって、住宅１２内の各部屋Ｒ，Ｒ…の空気は減圧し、各部屋Ｒ，Ｒ…に適宜備えられた換気口１９，１９…、開けられた窓２０，２０…、開けられた扉、隙間等から外気が給気される。
【００３５】
これによって、住宅１２内の各部屋Ｒ，Ｒ…の空気が換気されると共に、その換気に併せて雑排水管１３、支管１６，１６…、支管１６，１６…に接続される台所、洗面台、洗濯機、風呂等の雑排水器具１７，１７…内の臭気も排気され、且つ、雑排水管１３、支管１６，１６…、支管１６，１６…に接続される雑排水器具１７，１７…の臭気が住宅１２内の各部屋Ｒ，Ｒ…に侵入することはない。
【００３６】
又、雑排水器具１７，１７…の排水管に用いられる蛇腹のビニールホースや、塩ビ排水管等の接合部に隙間があっても臭気が住宅１２内の各部屋Ｒ，Ｒ…に侵入する虞がなくなる。尚、前記雑排水器具１７に逆流防止弁（図示せず）を設け、トラップを設けない構成にしても良い。然る時は、排気装置１５の駆動が万一停止した場合に於いても、逆流防止弁（図示せず）によって、臭気の逆流が防止される。
更に、雑排水器具１７にトラップを設けないことにより、雑排水器具１７の製造コストを安価にすることができる。
【００３７】
図２に於いて、２１は、主として新築住宅に適用する本発明の第２実施形態の住宅用換気システムであり、住宅用換気システム２１は、建築基準法に規定される第３種換気システムであり、前記住宅用換気システム（図１に於いて１１）に加えて、更に、住宅１２内の各部屋Ｒ，Ｒ…内の空気を排出するため、一端が各部屋Ｒ，Ｒ…に連通する吸気孔２２ａ，２２ａ…を備えた排気管２２，２２…を設け、排気管２２，２２…の他端部を前記雑排水管１３に連通させて接続し、各部屋Ｒ，Ｒ…内の空気を排気管２２，２２…、及び、雑排水管１３を介して排出させるように構成したものである。
【００３８】
これによれば、前記排気装置１５を駆動すると、前記住宅用換気システム（図１に於いて１１）と同様の排気ができると共に、更に、排気管２２，２２…を介して住宅１２内の各部屋Ｒ，Ｒ…の空気を円滑に排気することができる。尚、前記吸気孔２２ａに逆流防止機能を設けることも可能であり、然る時は、排気管２２から部屋Ｒへの逆流を防止できると共に、特に、排気装置１５が万一停止した場合は、逆流防止機能付き吸気孔２２ａによって、逆流が完全に阻止される。
【００３９】
図３に於いて、３１は、主として新築住宅に適用する本発明の第３実施形態の住宅用換気システムであり、住宅用換気システム３１は、建築基準法に規定される給排気を機械的に行う第１種換気システムであり、前記住宅用換気システム（図２に於いて２１）に加えて、更に、住宅１２内の各部屋Ｒ，Ｒ…に給気を行なうための給気管３２を配設し、上流の給気管３２と前記鉛直配管１４との間に熱交換器３３を設け、鉛直配管１４内を流れる排気と、給気管３２内を流れる給気との間で熱交換を行なわせるように構成したものである。尚、前記熱交換器３３は、前記住宅用換気システム（図２に於いて２１）に於いて設けられた排気装置（図２に於いて１５）及び圧力調整用吸気弁（図２に於いて１８）の機能も兼ね備えている。
【００４０】
これによれば、前記熱交換器３３を駆動すると、前記住宅用換気システム（図２に於いて２１）と同様の排気ができると共に、住宅１２内の各部屋Ｒ，Ｒ…に加熱された空気を円滑に給気することができる。
【００４１】
図４に於いて、４１は、主として新築住宅に適用する本発明の第４実施形態の住宅用換気システムであり、住宅用換気システム４１は、建築基準法に規定される給排気を機械的に行う第１種換気システムであり、前記住宅用換気システム（図３に於いて３１）に加えて、更に、雑排水管１３の下流に雑排水処理槽４２を配設し、且つ、熱交換器３３から住宅１２内に配管される給気管３２を、住宅１２内に配管する前に雑排水処理槽４２内に浸漬させて配管したものである。
【００４２】
これによれば、前記熱交換器３３を駆動することにより、給気管３２内の給気が雑排水処理槽４２内の雑排水による熱によって加温されて住宅１２内に供給され、前記住宅用換気システム（図３に於いて３１）の効果に加えて、雑排水処理槽４２内の雑排水の熱を有効利用して給気を加温することができる。
尚、前記雑排水処理槽４２に代えて、合併浄化槽を設けることも可能である。
【００４３】
図５は、既存住宅、又は、新築住宅に適用する本発明の第５実施形態の住宅用換気システム５１の主要部を示しており、住宅用換気システム５１は、前記住宅用換気システム（図１に於いて１１、図２に於いて２１、図３に於いて３１、又は、図４に於いて４１）に加えて、更に、前記雑排水管１３に合流する１つの支管１６の先端部が連結配管５２を介してペット用トイレ５３に連結され、ペット用トイレ５３で発生する臭気を吸引して排気するように構成されているものである。
【００４４】
具体的には、上方開放の箱状ペット用トイレ５３の床部を上下板５４，５５から成る２段に形成して、上下板５４，５５中間部に空洞部５６を形成し、且つ、上板５４に空洞部５６に連通する複数の貫通孔５７，５７…を開穿し、前記連結配管５２の先端部を空洞部５６に連通させたものである。上板５４の上面にはペットシーツ５８等が載置される。
【００４５】
而して、前記上板５４上のペットシーツ５８にペット（図示せず）が排泄すると、その排泄物（図示せず）の臭気は、前記排気装置１５、又は、排気装置１５の機能を備えた前記熱交換器３３の駆動によって、貫通孔５７，５７…、空洞部５６、連結配管５２、支管１６、及び、雑排水管１３を経由して屋外に排出される。
【００４６】
これによれば、住宅用換気システム５１は、前記住宅用換気システム（図１に於いて１１、図２に於いて２１、図３に於いて３１、又は、図４に於いて４１）の効果に加えて、ペット用トイレで発生する臭気を確実に吸引して排気でき、ペット用トイレ５３が設置された場所の近傍、又は、設置された部屋Ｒ，Ｒ…等の空気の汚染を防止できる。
【００４７】
図６は、既存住宅、又は、新築住宅に適用する本発明の第６実施形態の住宅用換気システム６１の主要部を示しており、住宅用換気システム６１は、前記住宅用換気システム（図１に於いて１１、図２に於いて２１、図３に於いて３１、又は、図４に於いて４１、図５に於いて５１）に加えて、更に、雑排水管１３に合流する１つの支管１６の先端部が連結配管６２を介して生ごみ処理機６３に連結され、生ごみ処理機６３で発生する臭気を吸引して排気するように構成されているものである。
【００４８】
具体的には、生ごみ処理機６３のハウジング６４内に前記雑排水管１３に合流する１つの支管１６の先端部を連結配管６２を介して連通させたものである。ハウジング６４内には、上端開放、又は上端開放自在の箱状の生ごみ処理機本体６５が設置される。
【００４９】
而して、生ごみ処理機本体６５内に投入された生ごみ６６から発生する臭気は、前記排気装置１５、又は、排気装置１５の機能を備えた前記熱交換器３３の駆動によって、ハウジング６４内、連結配管６２、支管１６、雑排水管１３を経由して屋外に排出される。
【００５０】
これによれば、住宅用換気システム６１は、前記住宅用換気システム（図１に於いて１１、図２に於いて２１、図３に於いて３１、又は、図４に於いて４１、図５に於いて５１）の効果に加えて、生ごみ処理機本体６５内に投入された生ごみ６６から発生する臭気を確実に吸引して排気でき、生ごみ処理機６３が設置された場所近傍、又は、設置された部屋Ｒ，Ｒ…等の空気の汚染を防止できる。
【００５１】
図７は、図９に示す既存住宅（建築基準法に規定される第３種換気システム、即ち、排気を機械的に行い、且つ、自然給気を行なう換気システムが施工された住宅）に適用する本発明の第７実施形態の住宅用換気システム７１を示している。
即ち、本発明の第７実施形態の住宅用換気システム７１は、図９に示す既存住宅に施工される第３種換気システムの排気装置である排気扇１０の上流の排気管９と、住宅１内の雑排水を合流させて屋外に排水する雑排水管６の最終合流点の下流に設けられた鉛直配管７２の上端部とを連通させるダクト７３を設けたものである。尚、ダクト７３は他の支管７や配管等と干渉しないように配管される。
【００５２】
而して、排気扇１０が回転すると、各部屋２，２…内の空気は夫々排気管９内に吸引され、排気扇１０によって屋外に排出され、それに伴い、各部屋２，２…が負圧になることによって各部屋２，２…に適宜設置された換気口４，４…、各部屋２，２…の開けられた窓５，５…、又は、扉から、給気され、更に、各部屋２，２…の種々の隙間等からも給気され、一方、前記ダクト７３を介して前記鉛直配管７２、雑排水管６、支管７，７…、及び、雑排水器具８，８…内の空気も排気扇１０によって排気管９から屋外に排出される。
【００５３】
従って、前記ダクト７３によって、鉛直配管７２、雑排水管６内の空気も排気管９及び排気扇１０を介して屋外に排出することができると共に、雑排水管６及び雑排水管６に接続される支管７，７…内の臭気が部屋２，２…内に侵入し、部屋２，２…内の空気を汚染することを防止することが出来る。
即ち、部屋２，２…の中に設置された雑排水管６の支管７，７…に設けられる雑排水器具８，８…や、その接続部、蛇腹部の隙間、又は、封水が破れたトラップ部等から、雑排水管６及び支管７，７…内の臭気が部屋２，２…内に侵入し、部屋２，２…内の空気を汚染してしまうことがなくなり、特に、換気口４，４…、窓５，５…、扉、隙間等から十分給気されない場合、例えば、窓５，５…、扉が閉め切られ、部屋２，２…が密閉状態に近い状態で排気扇１０を回転させたときも、雑排水管６及び支管７，７…内の臭気が部屋２，２…内に侵入することがない。
【００５４】
又、住宅用換気システム７１は、既存の換気システムと、既存の雑排水システムに、ダクト７３を取り付けるという簡素な構成であるので、施工工程を短縮し、且つ、施工コストを低減することが出来る。
更に、前記住宅用換気システム７１は、ダクト７３内の排気と共に部屋２，２…から排気された排気管９の排気も排出されるため、ダクト７３を介して排出される排気量が比較的に少なく、前記住宅用換気システム１１，２１に比較して、雑排水管６の支管７，７…に設けられる雑排水器具８，８…、及び、その接続部、蛇腹部の隙間、又は、封水が破れたトラップ部等から発生する排気音が小さく、比較的に静かであるという利点がある。
【図面の簡単な説明】
【００５５】
【図１】本発明による第１実施態様の住宅用換気システムを説明する一部切欠正面図である。
【図２】本発明による第２実施態様の住宅用換気システムを説明する一部切欠正面図である。
【図３】本発明による第３実施態様の住宅用換気システムを説明する一部切欠正面図である。
【図４】本発明による第４実施態様の住宅用換気システムを説明する一部切欠正面図である。
【図５】本発明による第５実施態様の住宅用換気システムを説明する主要部の正面縦断面図である。
【図６】本発明による第６実施態様の住宅用換気システムを説明する主要部の正面縦断面図である。
【図７】本発明による第７実施態様の住宅用換気システムを説明する説明図である。
【図８】従来例による既存住宅の住宅用換気システムを説明する一部切欠正面図である。
【図９】従来例の第３種換気システムによる住宅用換気システムを説明する一部切欠正面図である。
【符号の説明】
【００５６】
１，１２  住宅
２  部屋
６，１３  雑排水管
９  排気管
１１，２１，３１，４１，５１，６１，７１  住宅用換気システム
１４，７２  鉛直配管
１５  排気装置
１６  支管
１７  雑排水器具
２２  排気管
３２  給気管
３３  熱交換器
４２  雑排水処理槽
５３  ペット用トイレ
６３  生ごみ処理機
７２  鉛直配管
７３  ダクト
Ｒ  部屋
【図１】
0004675222.tif 000002
【図２】
0004675222.tif 000003
【図３】
0004675222.tif 000004
【図４】
0004675222.tif 000005
【図５】
0004675222.tif 000006
【図６】
0004675222.tif 000007
【図７】
0004675222.tif 000008
【図８】
0004675222.tif 000009
【図９】
0004675222.tif 000010